(57)【要約】【課題】  ヒートスラグとリベットのないダイ取付領域とを有する半導体パッケージを提供する。【解決手段】  半導体デバイスパッケージを形成する方法は、周縁構造を有するリードフレームと、上面及び下面を有するヒートスラグとを設ける工程を含み、ヒートスラグは、周縁構造に取り付けられる。半導体ダイがヒートスラグに取り付けられる。この半導体ダイは、ヒートスラグが周縁構造に取り付けられている間に成形コンパウンドで封入される。ヒートスラグには封入前に留め具が完全にない。【選択図】      図１
2018125526.tif 000002
【特許請求の範囲】
【請求項１】
半導体デバイスパッケージを形成する方法であって、
周縁構造を含むリードフレームと、上面及び下面を含むヒートスラグとを設ける工程であって、前記ヒートスラグは、前記周縁構造に取り付けられる、工程と、
半導体ダイを前記ヒートスラグに取り付ける工程と、
前記ヒートスラグが前記周縁構造に取り付けられている間に前記半導体ダイを成形コンパウンドで封入する工程と
を含み、
前記ヒートスラグには前記封入前に留め具が完全にない、方法。
【請求項２】
前記半導体ダイを封入する工程は、前記ヒートスラグの背面上に前記成形コンパウンドを何ら形成することなく、前記ヒートスラグの前記上面全体に前記成形コンパウンドを形成する工程を含む、請求項１に記載の方法。
【請求項３】
封入後、前記半導体デバイスパッケージの下側部分は、前記ヒートスラグの前記背面と完全に同一の広がりを有する、請求項２に記載の方法。
【請求項４】
前記ヒートスラグの露出された前記背面と前記成形コンパウンドの断面積との比は、１：１であり、前記成形コンパウンドの前記断面積は、前記ヒートスラグの前記上面と平行な平面で測定される、請求項２に記載の方法。
【請求項５】
前記リードフレームを設ける工程は、２種類の厚さを有するリードフレームを設ける工程を含み、前記周縁構造は、第１の厚さを有し、前記ヒートスラグは、前記第１の厚さよりも大きい第２の厚さを有し、前記ヒートスラグは、前記周縁構造に取り付けられ、且つ前記周縁構造から前記ヒートスラグの背面に向かって下方に曲がる支持支柱によって物理的に支持される、請求項１に記載の方法。
【請求項６】
前記ヒートスラグは、主本体部分を含み、前記リードフレームを設ける工程は、前記ヒートスラグ上の第１の位置で前記周縁構造に接続される支持構造に前記ヒートスラグを固定する工程を含み、前記第１の位置は、前記主本体部分の外側に配置される、請求項１に記載の方法。
【請求項７】
前記ヒートスラグは、前記主本体部分の側部から離れて延在する突出部を含み、前記第１の位置は、前記突出部上に配置され、前記半導体ダイを封入する工程は、前記突出部の少なくとも一部が前記成形コンパウンドから露出されたままである間に前記主本体部分を前記成形コンパウンドで覆う工程を含み、前記突出部は、封入後に切り取られる、請求項６に記載の方法。
【請求項８】
前記突出部は、前記主本体部分の第１の長い側部から離れて延在し、前記リードフレームは、前記周縁構造に取り付けられる第１のリード線が、前記突出部と平行な方向に前記第１の長い側部から離れて延在するように、前記ヒートスラグの前記支持構造への固定中に配置される、請求項７に記載の方法。
【請求項９】
前記突出部は、前記主本体部分の第２のより短い側部から離れて延在し、前記リードフレームは、前記周縁構造に取り付けられる第１のリード線が、前記突出部に垂直な方向に前記主本体部分から離れて延在するように、前記ヒートスラグの前記支持構造への固定中に配置される、請求項７に記載の方法。
【請求項１０】
前記主本体部分は、より薄い部分とより厚い部分とを含み、前記第１の位置は、前記より薄い部分における前記ヒートスラグの前記背面上に配置され、前記半導体ダイを封入する工程は、前記より厚い部分における前記ヒートスラグの前記背面が前記成形コンパウンドから露出されたままである間に、前記より薄い部分における前記ヒートスラグの前記背面を前記成形コンパウンドで覆う工程を含む、請求項６に記載の方法。
【請求項１１】
前記リードフレームは、前記周縁構造から内側に延在する支持支柱が設けられ、前記方法は、
前記周縁構造から分離され、且つ垂直及び水平の支柱を含む別個の第１のリード線を設ける工程と、
前記第１のリード線を前記ヒートスラグと横方向に重なり合うように整列させる工程であって、前記第１のリード線は、前記ヒートスラグの前記上面から垂直に離間される、工程と、
前記第１のリード線の前記垂直及び水平の支柱を前記周縁構造に固定する工程と
を更に含む、請求項１０に記載の方法。
【請求項１２】
前記リードフレームは、第２の部分に実質的に垂直な第１の部分で曲げられる第１のリード線を更に含み、前記第１のリード線は、前記ヒートスラグと整列され、それにより、封入後、前記第１の部分は、前記ヒートスラグから離れて前記ヒートスラグの前記上面と実質的に平行な方向に延在し、及び前記第２の部分は、前記ヒートスラグの側壁と実質的に平行な方向に延在し、前記側壁は、前記ヒートスラグの前記上面と前記背面との間に延在する、請求項１に記載の方法。
【請求項１３】
前記第１のリード線の前記第２の部分は、前記ヒートスラグの側壁と完全に重なり合う、請求項１２に記載の方法。
【請求項１４】
半導体デバイスパッケージを形成する方法であって、
周縁構造を含むリードフレームと、上面及び下面を含むヒートスラグとを設ける工程であって、前記ヒートスラグは、前記周縁構造に取り付けられる、工程と、
半導体ダイを前記ヒートスラグに取り付ける工程と、
前記ヒートスラグが前記周縁構造に取り付けられている間に前記半導体ダイを成形コンパウンドで封入する工程と
を含み、
前記半導体ダイを封入する工程は、前記ヒートスラグの背面全体が前記成形コンパウンドから露出されている間に前記ヒートスラグ全体を前記成形コンパウンドで覆う工程を含むか、又は
前記ヒートスラグは、前記ヒートスラグの前記上面の外側にある第１の位置で前記周縁構造に取り付けられるか、又は
前記リードフレームは、第２の部分に実質的に垂直な第１の部分で曲げられる第１のリード線を含み、及び前記第１のリード線は、前記ヒートスラグと整列され、それにより、封入後、前記第１の部分は、前記ヒートスラグから離れて前記ヒートスラグの前記上面と実質的に平行な方向に延在し、及び前記第２の部分は、前記ヒートスラグの側壁と実質的に平行な方向に延在し、前記側壁は、前記ヒートスラグの前記上面と前記背面との間に延在する、方法。
【請求項１５】
前記半導体ダイを封入する工程は、前記ヒートスラグの前記背面全体が前記成形コンパウンドから露出されている間に前記ヒートスラグの前記上面全体を前記成形コンパウンドで覆う工程を含み、前記ヒートスラグの露出された前記背面と前記成形コンパウンドの断面積との比は、１：１であり、前記成形コンパウンドの前記断面積は、前記ヒートスラグの前記上面と平行な平面で測定される、請求項１４に記載の方法。
【請求項１６】
前記ヒートスラグは、前記ヒートスラグの主本体部分又は前記ヒートスラグの前記背面から離れて延在する突出部で前記周縁構造を前記ヒートスラグに固定することによって前記周縁構造に取り付けられる、請求項１４に記載の方法。
【請求項１７】
パッケージ化された半導体デバイスであって、
上面と、前記上面の反対側の背面とを含むヒートスラグと、
前記ヒートスラグに取り付けられた半導体ダイと、
前記半導体ダイに電気的に接続される第１のリード線と、
前記半導体ダイを封入する成形体と
を含み、
前記第１のリード線は、前記成形体から外部に突出し、
前記ヒートスラグの前記上面には留め具がない、パッケージ化された半導体デバイス。
【請求項１８】
前記半導体デバイスパッケージの背面は、前記ヒートスラグの前記背面と完全に同一の広がりを有する、請求項１７に記載のパッケージ化された半導体デバイス。
【請求項１９】
前記ヒートスラグには留め具が完全にない、請求項１７に記載のパッケージ化された半導体デバイス。
【請求項２０】
前記ヒートスラグは、より薄い部分とより厚い部分とを含み、前記ヒートスラグは、前記背面に配置された留め具を含み、前記留め具は、前記成形体によって覆われ、前記ヒートスラグの前記背面は、前記より厚い部分で前記成形体から露出される、請求項１７に記載のパッケージ化された半導体デバイス。
【請求項２１】
前記第１のリード線は、第２の部分に実質的に垂直な第１の部分で曲げられ、前記第１の部分は、前記成形体から外部に突出し、且つ前記ヒートスラグの前記上面と実質的に平行であり、及び前記第２の部分は、前記ヒートスラグの側壁と実質的に平行な方向に延在し、前記側壁は、前記ヒートスラグの前記上面と前記背面との間に延在する、請求項１７に記載のパッケージ化された半導体デバイス。
【発明の詳細な説明】
【技術分野】
【０００１】
本発明は、概して、半導体デバイスのパッケージングに関し、より詳細には、熱伝導性のヒートスラグ及び対応するパッケージ構造を有する半導体パッケージを形成する方法に関する。
【背景技術】
【０００２】
半導体パッケージは、増幅器、制御装置、ＡＳＩＣデバイス、センサ等の集積回路を収容及び保護するために一般的に用いられている。半導体パッケージ内では、集積回路が基板に取り付けられている。半導体パッケージは、通常、集積回路を密閉し、湿気及びちり粒子から集積回路を保護するプラスチック又はセラミックなどの電気絶縁性封入材料を含む。集積回路の様々な端子に接続された導電性リード線は、半導体パッケージの外側からアクセス可能である。
【０００３】
パッケージの設計によっては、パッケージの基板は、いわゆる「ヒートスラグ」又は「ヒートシンク」として構成される。パッケージレベルのヒートスラグは、集積回路から熱を取り去るように設計される。通常、ヒートスラグは、熱伝導性材料（例えば、金属）から形成される。パッケージの構成によっては、ヒートスラグは、パッケージ上に取り付けられているダイに基準電位（例えば、アース）を提供する電気端子としても作用する。
【０００４】
設計者は、パッケージング設計を改善するために常に努力している。多大な関心を集めている注目に値する１つの設計上の考慮事項は、パッケージの総実装面積である。技術が進歩するにつれて、大半の電子部品の寸法及び／又はコストを低減させることが強く要求されている。別の注目すべき設計上の考慮事項は、熱放散である。最新の集積回路デバイスの面積当たりの熱消費は、デバイスが小型化されると同時により高速且つ高性能になるにつれて増加し続けている。結果として、最新の集積回路が過熱により故障又は性能低下するのを防止するための冷却対策に大きく重点が置かれるようになった。パッケージの総実装面積を低減させるという要求は、半導体パッケージの熱放散を最適化するという要求と矛盾することが多く、なぜなら、通常、より強力な冷却をもたらすためにより大きいヒートシンクが用いられるからである。
【０００５】
ＲＦアプリケーションは、パッケージ設計に関して独自の課題を提示する。多くのパッケージ化されたＲＦデバイスは、２つ以上の集積回路と、それらの集積回路をパッケージのリード線に接続する対応するボンドワイヤとを含む。これらの集積回路は、通常、高周波数で動作するため、ボンドワイヤ間で誘導結合が起きる可能性が高い。この誘導結合は、信号の完全性を損なわせ得る干渉を引き起こすことがあり、全面的な故障を引き起こすことさえある。パッケージの寸法が減少し続けるにつれて、この問題はより大きい課題を提示し、なぜなら、様々な集積回路間の電気的絶縁の達成がより困難になるからである。現在の絶縁技術は、パッケージの様々な集積回路間に遮蔽構造を設けることを含む。しかしながら、これらの遮蔽構造は、貴重なパッケージ空間を利用する。
【発明の概要】
【課題を解決するための手段】
【０００６】
半導体デバイスパッケージを形成する方法を開示する。一実施形態によれば、この方法は、周縁構造を有するリードフレームと、上面及び下面を有するヒートスラグとを設ける工程を含み、ヒートスラグは、周縁構造に取り付けられる。半導体ダイがヒートスラグに取り付けられる。この半導体ダイは、ヒートスラグが周縁構造に取り付けられている間に成形コンパウンドで封入される。ヒートスラグには封入前に留め具が完全にない。
【０００７】
別の実施形態によれば、この方法は、周縁構造を有するリードフレームと、上面及び下面を有するヒートスラグとを設ける工程を含み、ヒートスラグは、周縁構造に取り付けられる。半導体ダイがヒートスラグに取り付けられる。この半導体ダイは、ヒートスラグが周縁構造に取り付けられている間に成形コンパウンドで封入される。（１）半導体ダイを封入する工程は、ヒートスラグの背面全体が成形コンパウンドから露出されている間にダイ取付領域全体を成形コンパウンドで覆う工程を含むか、又は（２）ヒートスラグは、ヒートスラグの上面の外側にある第１の位置で周縁構造に取り付けられるか、又は（３）リードフレームは、第２の部分に実質的に垂直な第１の部分で曲げられる第１のリード線を含み、及びこの第１のリード線は、ヒートスラグと整列され、それにより、封入後、第１の部分は、ヒートスラグから離れてヒートスラグの上面と実質的に平行な方向に延在し、及び第２の部分は、ヒートスラグの側壁と実質的に平行な方向に延在し、この側壁は、ヒートスラグの上面と背面との間に延在する。
【０００８】
一実施形態によれば、パッケージ化された半導体デバイスが開示され、このパッケージ化された半導体デバイスは、上面と、上面と反対側の背面とを含むヒートスラグを含む。半導体ダイがヒートスラグに取り付けられる。第１のリード線が半導体ダイに電気的に接続される。成形体が半導体ダイを封入する。第１のリード線は、成形体から外部に突出する。ヒートスラグの上面には留め具がない。
【０００９】
図面の要素は、必ずしも互いに対して正確な縮尺になっていない。同様の参照符号は、対応する同様の部分を示す。様々な図示した実施形態の特徴は、それらが互いに排除し合わない限り組み合わせることができる。実施形態は、図面で示され、以降に続く説明で詳述される。
【図面の簡単な説明】
【００１０】
【図１】一実施形態による、パッケージ化されたドハティ増幅器の内部構成を平面図の観点から示す。
【図２】一実施形態による、パッケージ化されたドハティ増幅器の外観を等角図法の観点から示す。
【図３】一実施形態による、パッケージ化されたドハティ増幅器の下側部分を示す。
【図４】図４Ａ及び図４Ｂを含み、一実施形態によるパッケージ化されたドハティ増幅器を示し、このドハティ増幅器では、パッケージの下側部分はヒートスラグの背面と完全に同一の広がりを有する。図４Ａは、パッケージの下側部分を示す。図４Ｂは、パッケージの断面図を示す。
【図５】図５Ａ、５Ｂ、５Ｃ、及び５Ｄを含み、一実施形態による、パッケージ化されたドハティ増幅器を形成するためのリベットなしの技術を示す。図５Ａは、ダイ取付及び封入前のリードフレーム及びヒートスラグの平面図の観点を示す。図５Ｂは、ダイ取付及び封入前のリードフレーム及びヒートスラグの側面図の観点を示す。図５Ｃは、封入後且つリードの切取前のデバイスの平面図の観点を示す。図５Ｄは、封入後且つリードの切取後のデバイスの平面図の観点を示す。
【図６】図６Ａ、６Ｂ、６Ｃ、及び６Ｄを含み、一実施形態による、パッケージ化されたドハティ増幅器を形成するための技術を示し、このパッケージ化されたドハティ増幅器では、ダイ取付領域の外側にあるヒートスラグの突出部にリベットが設けられる。図６Ａは、ダイ取付及び封入前のリードフレーム及びヒートスラグの平面図の観点を示す。図６Ｂは、ダイ取付及び封入前のリードフレーム及びヒートスラグの側面図の観点を示す。図６Ｃは、封入後且つリードの切取前のデバイスの平面図の観点を示す。図６Ｄは、封入後且つリードの切取後のデバイスの平面図の観点を示す。
【図７】図７Ａ、７Ｂ、７Ｃ、及び７Ｄを含み、別の実施形態による、パッケージ化されたドハティ増幅器を形成するための技術を示し、このパッケージ化されたドハティ増幅器では、ダイ取付領域の外側にあるヒートスラグの突出部にリベットが設けられる。図７Ａは、ダイ取付及び封入前のリードフレーム及びヒートスラグの平面図の観点を示す。図７Ｂは、ダイ取付及び封入前のリードフレーム及びヒートスラグの側面図の観点を示す。図７Ｃは、封入後且つリードの切取前のデバイスの平面図の観点を示す。図７Ｄは、封入後且つリードの切取後のデバイスの平面図の観点を示す。
【図８】図８Ａ及び８Ｂを含み、別の実施形態による、２種類の厚さを有する矩形本体部分を有するヒートスラグを示し、ここで、矩形本体部分の底面側にリベット位置が配置される。図８Ａは、ヒートスラグの背面を示す。図８Ｂは、ヒートスラグの上面１１８を示す。
【図９】図９Ａ、９Ｂ及び９Ｃを含み、一実施形態による、パッケージ化された半導体デバイスを図８のヒートスラグを用いて形成するための技術を示す。図９Ａは、ヒートスラグの平面図を示す。図９Ｂは、リードフレームの平面図を示す。図９Ｃは、リードフレームに取り付けられたヒートスラグを示す。
【図１０】図１０Ａ、１０Ｂ、１０Ｃ、１０Ｄ及び１０Ｅを含み、別の実施形態による、パッケージ化された半導体デバイスを図８のヒートスラグを用いて形成するための技術を示す。図１０Ａは、ヒートスラグの平面図を示す。図１０Ｂは、リードフレームの平面図を示す。図１０Ｃは、リードフレームに取り付けられたヒートスラグを示す。図１０Ｄは、取付前の入力リード線の平面図である。図１０Ｅは、リードフレームに取り付けられた入力リード線を示す。
【図１１】図１１Ａ、１１Ｂ、及び１１Ｃを含み、下方に曲がる入力リード線及び出力リード線を有するパッケージ化された半導体デバイスを形成するための技術を示す。図１１Ａは、ダイ取付及びワイヤボンディング前のヒートスラグ及びリード線の側面図を示す。図１１Ｂは、ダイ取付及びワイヤボンディング前のヒートスラグ及びリード線の等角図を示す。図１１Ｃは、ダイ取付及びワイヤボンディング後のヒートスラグ及びリード線の側面図を示す。
【発明を実施するための形態】
【００１１】
図１を参照すると、一実施形態によるドハティ増幅器１００半導体パッケージの内部構成が図示されている。この図は、ドハティ増幅器１００用の集積回路、リードフレーム、及び電気的接続の例示的なレイアウトを示す。集積回路は主増幅器１０２及びピーキング増幅器１０４を含み、これらの増幅器は、それぞれ例えばＭＯＳＦＥＴ（金属酸化膜半導体電界効果トランジスタ）、ＬＤＭＯＳ（横方向拡散金属酸化膜半導体）デバイス、又はＨＥＭＴ（高電子移動度トランジスタ）デバイス等のトランジスタダイとして実装することができる。これらのトランジスタダイは、パッケージの基板に直接的に面し且つ基板１０６と直接的に電気的に接触する基準端子（例えば、ソース端子）を有する垂直デバイスとして構成される。トランジスタダイの入力端子及び出力端子（例えば、ゲート端子及びドレイン端子）は、トランジスタダイの上側に配置される。更に、集積回路は、基板１０６上に取り付けられ基板１０６と電気的に接続されたチップコンデンサ１０８を含むことができる。これらのチップコンデンサ１０８は、パッケージ化されたドハティ増幅器１００に組み込まれる入力及び出力インピーダンス整合回路網の一部を形成するために使用される。
【００１２】
基板１０６は、銅、アルミニウム、及びそれらの合金などの導電性で且つ熱伝導性の材料から形成される。基板１０６は、パッケージ化されたドハティ増幅器１００のための基準電位端子を提供する。更に、基板１０６は、トランジスタダイから熱を放散させるように構成されたヒートスラグとして作用する。
【００１３】
パッケージには、主増幅器１０２及びピーキング増幅器１０４の両方のための入力及び出力端子を提供する導電性の入力リード線及び出力リード線１１０、１１２が含まれる。主増幅器１０２、ピーキング増幅器１０４、チップコンデンサ１０８、及び入力及び出力リード線１１０、１１２間の電気的接続は、多数の導電性ボンドワイヤ１１４によって提供される。これらの電気的接続を完成させるために、リボンなどの一般的に知られている様々な電気的接続技術の任意のものを使用することもできる。
【００１４】
パッケージはまた、パッケージ化されたドハティ増幅器１００のための別個の電気端子を提供する追加のリード線１１５も含むことができる。図示された実施形態では、この追加のリード線１１５は、追加のボンドワイヤ１１４によって出力整合回路網に接続されたＤＣバイアスリード線として構成される。
【００１５】
図１に図示されたパッケージの設計では、リベット１１６（即ち、金属の留め具）は基板１０６の上面１１８上に配置される。これらのリベット１１６は、パッケージの組立工程中、基板１０６をリードフレームに物理的に取り付けるのに用いられる。見てとれるように、リベット１１６は、基板１０６の上面１１８上の利用可能なダイ取付領域を実質的に減少させる。従って、リベット１１６が存在するため、所与の寸法の基板１０６に対する基板１０６の上面１１８上の利用可能なダイ取付領域は減少する。
【００１６】
図２及び３を参照すると、一実施形態によるパッケージ化されたドハティ増幅器１００の外観が図示されている。パッケージ化されたドハティ増幅器１００は、図１に図示した集積回路及び電気的接続を封入し保護する、熱硬化性プラスチックなどの電気的絶縁性成形コンパウンド１２０を含む。成形コンパウンド１２０は、オーバーモールド技術などの従来から知られている様々な成形技術の任意のものに従って形成することができる。成形コンパウンド１２０は、集積回路及びボンドワイヤ１１４を完全に封入する一方、リード線が成形コンパウンド１２０から外部に突出するようにパッケージリード線を部分的に覆う。
【００１７】
パッケージ化されたドハティ増幅器１００は、プリント回路基板などの大局回路とインターフェースするように設計される。例えば、パッケージ化されたドハティ増幅器１００をプリント回路基板のソケット内に配置して、回路基板の導電線がパッケージの様々なリード線に直接的に接触し電気的に接続するようにすることができる。
【００１８】
図３に示すように、パッケージ化されたドハティ増幅器１００半導体の下側部分１２２が図示されている。見てとれるように、下側部分１２２の一部は、露出された導体を含む。この露出された導体は、集積回路が上に取り付けられる基板１０６の背面１２４に相当する。この設計により、パッケージ化されたドハティ増幅器１００が外部のヒートシンクとインターフェースすることが可能になり、この外部のヒートシンクは、プリント回路基板のソケット内に設けることができる。成形コンパウンド１２０は、基板１０６の周りを外側被覆しており、それにより、成形コンパウンド１２０は、パッケージ化されたドハティ増幅器１００の下側部分１２２の周縁部の周りに存在する。
【００１９】
本明細書で説明する実施形態によれば、パッケージ化されたドハティ増幅器１００は、性能／コストを改善するために幾つかの側面で修正される。第１の修正点は、基板１０６、即ちヒートスラグ１０６の設計に関する。以下で更に説明する実施形態によれば、ヒートスラグ１０６が拡大される。一実施形態によれば、ヒートスラグ１０６は、パッケージ化されたドハティ増幅器１００の下側部分１２２全体を占める。この構成は、集積回路から熱を運び出す熱伝導構造を広げることにより、より高い熱伝達効率をもたらす。更に、パッケージ化されたドハティ増幅器１００が外部のヒートシンクと接続された場合、ヒートスラグ１０６と外部のヒートシンクとの接触表面積が最大になる。更に、この構成により、パッケージのリード線（即ち、入力及び出力リード線１１０、１１２）とヒートスラグ１０６との横方向の重なりがより大きくなることが可能になる。この重なりは、入力及び出力リード線１１０、１１２とヒートスラグ１０６（基準電位に結び付けられている）との間により多くの静電容量をもたらす。この静電容量は、パッケージ化されたドハティ増幅器１００のための入力及び出力インピーダンス整合を提供するために有利に利用することができる。様々なシミュレーションによれば、本発明者らは、基板の静電容量に対するこの優勢が、図１〜３を参照して説明した設計と比較して２００％〜３００％増加され得ることを発見した。
【００２０】
パッケージ化されたドハティ増幅器１００の第２の修正点は、リベット１１６に関する。本明細書で説明する実施形態によれば、ダイ取付領域、即ちヒートスラグ１０６の上面１１８にはリベット１１６が完全にない。この設計を達成するために幾つかの異なるパッケージ組立技術が提案される。いずれの場合でも、ヒートスラグ１０６のダイ取付領域からリベット１１６を取り除くことにより、ダイ取付領域の寸法が有益に増加する。設計によっては、リベット１１６を取り除くことにより、（図１の観点から）利用可能なｘ軸横方向の空間が約３．１ｍｍ増加し、ダイ取付領域の全般的な寸法（即ち、ダイを上に取り付けるための、ヒートスラグ１０６の上面１１８上の利用可能な空間）が約２７％増加する。この修正点により、主増幅器１０２とピーキング増幅器１０４との間の間隔をより広くすることができ、このより広い間隔により、ボンドワイヤ１１４間の電気的絶縁がより良好になり、結合の可能性がより低くなる。この修正点は、実施形態によっては、リード線のピッチ（即ち、隣接するパッケージリード線の中央間の距離）を有益に増加させることができ、且つ／又はリード線の間隔（即ち、隣接するリード線の端間の距離）を有益に増加させることができる。重ねて、これはより良好な電気的絶縁につながる。或いは、この修正点は、ダイとリード線との間に同様の間隔を維持しながら、パッケージ化されたドハティ増幅器１００の寸法を低減するのに使用することができる。
【００２１】
パッケージ化されたドハティ増幅器１００の第３の修正点は、リード線の構成に関する。一実施形態によれば、ヒートスラグ１０６に接近する入力及び出力リード線１１０、１１２の内側部分は、ヒートスラグ１０６の側壁に面するように下方に曲げられる。この修正点は、入力及び出力リード線１１０、１１２とヒートスラグ１０６との重なりを取り除く。設計によっては、これを取り除くことにより、利用可能なｙ軸横方向の空間が約４．３７ｍｍ増加し、ダイパッドの全般的な寸法（即ち、ダイを上に取り付けるための、ヒートスラグ１０６の上面１１８上の利用可能な空間）が約２２％増加する。これが、このパッケージ設計において上述したリベット１１６の除去と組み合わせられると、約５２％のダイパッドの全般的な寸法の増加を達成することができる。この修正点の追加の利点は、入力及び出力リード線１１０、１１２の曲げられた部分とヒートスラグ１０６の側壁との重なりのため、入力及び出力リード線１１０、１１２とヒートスラグ１０６との間の静電容量が増加することである。
【００２２】
図４を参照すると、一実施形態による、拡大されたヒートスラグ１０６を有するパッケージ化されたドハティ増幅器１００が図示されている。図３に図示した実施形態と比べると、外側被覆が取り除かれている。実施形態によれば、パッケージの下側部分１２２は実質的に金属性であり、即ち、少なくとも９５％が金属性であり、実施形態によっては完全に金属性であり得る。即ち、パッケージの下側部分１２２は、いかなる成形コンパウンドも実質的にないか又は完全にない。一実施形態によれば、半導体デバイスパッケージの下側部分１２２は、ヒートスラグ１０６の背面１２４と完全に同一の広がりを有する。即ち、ヒートスラグ１０６は可能な限り最大限に拡大され、それにより、パッケージの下側部分１２２全体がヒートスラグ１０６によって提供される。一方、ヒートスラグ１０６の上面１１８は、半導体ダイ及びボンドワイヤ１１４を封入するように成形コンパウンド１２０によって完全に覆われ得る。成形処理は、ヒートスラグ１０６の背面１２４全体が成形コンパウンド１２０から露出されるような方法で行われる。
【００２３】
一実施形態によれば、ヒートスラグ１０６の露出された背面１２４と成形コンパウンド１２０の断面積との比は１：１である。成形コンパウンド１２０の断面積は、ヒートスラグ１０６の上面１１８と平行な平面に沿っている。従って、成形体がヒートスラグ１０６の露出された背面１２４よりも大きい、図３に図示した実施形態とは対照的に、ヒートスラグ１０６と成形体とは同じ横方向の実装面積を有する。
【００２４】
図５を参照すると、一実施形態による、ダイ取付領域にリベット１１６が完全にないように、パッケージ化されたドハティ増幅器１００を形成するための方法が図示されている。図５のこの技術は、ヒートスラグ１０６をリードフレーム１２６に固定するためにいかなるリベットも使用しない。この技術によれば、ヒートスラグ１０６はリードフレーム１２６の一部として一体化して形成される。一実施形態によれば、このリードフレーム１２６は、２種類の厚さを有するリードフレーム１２６である。一実施形態では、周縁構造１２８、入力リード線１１０、及び出力リード線１１２は、第１の厚さを有し、ヒートスラグ１０６は、第１の厚さよりも大きい第２の厚さを有する。このようにして、ヒートスラグ１０６に必要な厚さを達成することができる。
【００２５】
図５Ａ及び図５Ｂに示すように、ヒートスラグ１０６は、リードフレーム１２６の周縁構造１２８に接続する支持支柱１３０に物理的に接続され、且つこの支持支柱１３０によって支持される。図示した実施形態では、周縁構造１２８は囲まれた環の形状である。しかしながら、他の形状も可能である。入力及び出力リード線１１０、１１２は、リードフレーム１２６の周縁構造１２８にも接続している。図５Ｂに見られるように、支持支柱１３０は、周縁構造１２８からヒートスラグ１０６の背面１２４に向けて下方に曲がる。従って、リードフレームは、ヒートスラグ１０６がリードフレーム１２６の他の特徴（の下方）に垂直にオフセットされる、いわゆる「ダウンセット」構成を有する。
【００２６】
図５Ａ及び図５Ｂに図示されたリードフレーム１２６が提供されると、例えば前述した方法で半導体ダイをヒートスラグ１０６の上面１１８に取り付けることができ、半導体ダイをリード線に接続するボンドワイヤ１１４を形成することができる。その後、図５Ｃに示すように、電気的絶縁性の成形コンパウンド１２０をヒートスラグ１０６の上に形成することができる。その後、図５Ｄに示すように、リード線切取及びパッケージ形成処理が行われ、それにより、パッケージリード線及び支持支柱１３０が周縁構造１２８から分離され、切り取られる。
【００２７】
図６を参照すると、別の実施形態による、ダイ取付領域にリベット１１６が完全にないように、パッケージ化されたドハティ増幅器１００を形成するための方法が図示されている。この実施形態では、ヒートスラグ１０６は本体部分１３２を含む。矩形の本体部分１３２の下側部分１３４は、例えば図４に図示するようなパッケージの下側部分１２２を提供する。矩形の本体部分１３２の上側部分は、ヒートスラグ１０６のためのダイ取付領域を提供する。しかしながら、図１の実施形態と異なり、リベットがダイ取付領域の外に移動される。結果として、本体部分１３２の上面１１８全体がダイ取付領域として使用可能である。従って、ダイを、本体部分１３２の側端まで本体部分１３２のいずれの箇所にも配置することができる。
【００２８】
図６の実施形態におけるヒートスラグ１０６は、主本体部分１３２の第１の長い側部１３８から離れて延在する突出部１３６を含む。リードフレーム１２６はヒートスラグ１０６と整列され、それにより、入力リード線１１０も、突出部１３６と平行な方向に第１の長い側部１３８から離れて延在する。即ち、リードフレーム１２６は、入力リード線１１０が突出部１３６と平行になり且つ突出部１３６から離間されるようにヒートスラグ１０６と整列される。更に、ヒートスラグ１０６は、第１の側部１３８と反対側にある主本体部分１３２の第３の長い側部１４０から離れて延在する突出部１３６を含む。リードフレーム１２６は、第３の長い側部１４０から離れて延在する突出部１３６が出力リード線１１２から離間され且つ平行になるように整列される。４つの突出部１３６が例として図示されているが、これらの突出部１３６の幾つかを省略することができ、また様々な異なる構成が可能である。例えば、ヒートスラグ１０６は、突出部１３６の２つがヒートスラグ１０６の反対側にあるか、又は同じ側にあるように構成することができる。
【００２９】
図示した実施形態では、突出部１３６は矩形の形状である。しかしながら、これは１つの例に過ぎず、突出部１３６に対して様々な異なる形状が可能である。一実施形態によれば、ヒートスラグ１０６は、いわゆる２種類の標準厚さを有するヒートスラグ１０６である。この構成の例を図６Ｂに示す。この実施形態では、ヒートスラグ１０６は、異なる厚さの２つの領域で構成される。ヒートスラグ１０６の厚い方の領域は主本体部分１３２に対応し、ヒートスラグ１０６の薄い方の領域は突出部１３６に対応する。
【００３０】
図６Ａを参照すると、ヒートスラグ１０６は、突出部１３６の第１の位置に設けられるリベット１１６を用いてリードフレーム１２６に取り付けらる。リベット１１６は、タイバーによって周縁構造１２８に接続される支持構造１４２に突出部１３６を固定する。結果として、ヒートスラグ１０６は、リードフレーム１２６の周縁構造１２８に物理的に固定され、周縁構造１２８によって吊るされる。固定されると、前述した方法で半導体ダイをヒートスラグ１０６に取り付け電気的に接続することができる。その後、半導体ダイの入力及び出力端子とパッケージリード線との間のワイヤボンドを前述した方法で形成することができる。リベット１１６により、ヒートスラグ１０６がこの処理中に所定の位置に確実に保持されることが確保される。
【００３１】
図６Ｃを参照すると、ダイ取付及びワイヤボンディング後に封入処理が行われる。この処理中、半導体ダイ及びワイヤボンドは、前述した方法で電気絶縁性の成形コンパウンド１２０で封入される。成形コンパウンド１２０は、ヒートスラグ１０６の主本体部分１３２上にのみ形成され、突出部１３６の少なくとも一部の上には形成されない。従って、封入後、突出部１３６及びリベットは成形コンパウンド１２０から露出される。
【００３２】
図６Ｄを参照すると、封入後、リード切取処理が行われる。この処理中、パッケージ化されたデバイスをリードフレーム１２６の周縁構造１２８から取り外すように入力及び出力リード線１１０、１１２が切断される。成形コンパウンド１２０が既に硬化しているため、リード線及びヒートスラグ１０６は、リードフレーム１２６による物理的な支持をもはや必要としない。従って、封入処理後、リベットはもはや必要なくなる。従って、突出部１３６は、リード線の切取処理中に、同時に、又はリード線と共通の切取処理中に切り取ることができる。従って、突出部１３６及びリード線が取り除かれる。ヒートスラグ１０６の２種類の標準厚さを有する構成のため、突出部１３６は、従来のリード線切取技術からしても十分に薄い。
【００３３】
図７を参照すると、別の実施形態による、ダイ取付領域にリベット１１６が完全にないように、パッケージ化されたドハティ増幅器１００を形成するための方法が図示されている。この実施形態では、突出部１３６は、主本体部分１３２の第２の短い側部１４４から離れて延在する。図７Ｂに示すように、突出部１３６が主本体部分１３２よりも薄くなるように、ヒートスラグ１０６は、２種類の標準厚さを有するヒートスラグ１０６として構成することができる。図７Ａに示すように、ヒートスラグ１０６は、図６Ａに示したのと同様の方法でリードフレーム１２６の中央に配置される。この実施形態では、突出部１３６は、入力及び出力リード線１１０、１１２に垂直な方向にヒートスラグ１０６から離れて延在する。図７Ａに示すように、ヒートスラグ１０６は、突出部１３６上の第１の位置でリードフレームにリベット留めされる。リベット１１６は、タイバーによって周縁構造１２８に接続される支持構造１４２に突出部１３６を固定する。その後、ダイ取付及びワイヤボンディングが前述した方法で行われる。図７Ｃを参照すると、ダイ取付及びワイヤボンディング後、図６Ｃを参照して説明したのと同様の方法で封入処理が行われる。図７Ｄを参照すると、図６Ｄを参照して説明したのと同様の方法でリード線切取及びパッケージ形成が行われる。
【００３４】
図８〜図１０を参照すると、別の実施形態による、ダイ取付領域にリベット１１６が完全にないように、パッケージ化されたドハティ増幅器１００を形成するための方法が図示されている。この実施形態では、ヒートスラグ１０６は、ヒートスラグ１０６の背面１２４上に配置される第１の位置でリードフレーム１２６にリベット留めされる。即ち、リベット１１６は、ヒートスラグ１０６のダイ取付領域の反対側に面した側の上に設けられる。
【００３５】
図８を参照すると、この実施形態によれば、ヒートスラグ１０６の本体部分１３２は、より薄い部分１４８及びより厚い部分１５０を有する。図８Ａに示すように、ヒートスラグ１０６は不均一な厚さを有する。ヒートスラグ１０６のより厚い部分１５０は、ヒートスラグ１０６の中央領域に設けられている。ヒートスラグ１０６のより薄い部分１４８は、この中央領域の両側に配置される。ヒートスラグ１０６は、図８Ｂに示すように、より薄い部分１４８及びより厚い部分１５０における単一の平面に沿って上面１１８が延在するように構成される。このようにして、ダイ取付領域は、より厚い部分１５０及びより薄い部分１４８の上に延在する。一方、ヒートスラグ１０６の背面１２４は、異なる複数平面に沿って延在する。より詳細には、ヒートスラグ１０６の背面１２４は、より厚い部分１５０におけるヒートスラグ１０６の背面１２４に対して、より薄い部分１４８において（図８Ａの観点から）高くなっている。
【００３６】
リードフレーム１２６の支持支柱１５２は、ヒートスラグ１０６の下側部分１２２でヒートスラグ１０６のより薄い部分１４８にリベット留めされる。その後、前述した方法でダイ取付及びワイヤボンディングを行うことができる。その後、前述した方法で封入を行うことができる。この実施形態では、ヒートスラグ１０６の背面１２４と、従ってリベットとは、成形コンパウンド１２０で覆われる。一方、ヒートスラグ１０６の背面１２４の中央部分は、成形コンパウンド１２０から露出される。
【００３７】
図９を参照すると、一実施形態による、図８を参照して説明したヒートスラグ１０６を利用するパッケージ組立技術が図示されている。図９Ａに示すように、図８を参照して説明したヒートスラグ１０６が設けられる。図９Ｂに示すように、リードフレーム１２６が設けられる。リードフレーム１２６は、リードフレーム１２６の周縁部を囲む周縁構造１２８を含む。入力及び出力リード線１１０、１１２は、周縁構造１２８に物理的に接続され、周縁構造１２８からリードフレーム１２６の中央に向かって内側に延びる。更に、リードフレーム１２６は、リードフレーム１２６の周縁部に接続されるタイバーに取り付けられたリベットパッド１５４を含む。
【００３８】
図９Ｃを参照すると、ヒートスラグ１０６は、リードフレーム１２６の中央に配置され、ヒートスラグ１０６の背面１２４上のリベットパッド１５４にリベット留めされる。その後、前述した方法でダイの取付、ワイヤボンディング、及び封入を行うことができる。その後、成形コンパウンド１２０が硬化した後、パッケージ化されたデバイスをリードフレーム１２６の周縁構造１２８から取り外すようにリード線及びタイバーを切り取ることができる。
【００３９】
図１０を参照すると、別の実施形態による、図８を参照して説明したヒートスラグ１０６を利用するパッケージ組立技術が図示されている。図１０Ａに示すように、図８を参照して説明したヒートスラグ１０６が設けられる。図１０Ｂに示すように、リードフレーム１２６が設けられる。このリードフレーム１２６は、入力及び出力リード線１１０、１１２を含まないという点で、このリードフレーム１２６は、図９を参照して説明したリードフレーム１２６と異なる。代わり、このリードフレーム１２６は、周縁構造１２８と、リードフレーム１２６の周縁部に接続されるタイバーに取り付けられたリベットパッド１５４と、リードフレーム１２６の周縁部に接続される４つの支持構造１５６とを含む。この技術の第１の工程によれば、図１０Ｃに示すように、ヒートスラグ１０６をリードフレーム１２６の中央に配置して、前述した方法でリベットパッド１５４にリベット留めする。その後、図１０Ｄに示すように、別個の（隣とつながっていない）入力及び出力リード線１１０、１１２が設けられる。入力及び出力リード線１１０、１１２は、入力及び出力リード線１１０、１１２から離れて延在する垂直及び水平の支柱１５８を含む。その後、図１０Ｅに示すように、入力及び出力リード線１１０、１１２がヒートスラグ１０６の上方に配置される。垂直及び水平の支柱１５８は、４つの支持構造１５６にリベット留めされる。その後、前述した方法でダイの取付、ワイヤボンディング、及び封入を行うことができる。その後、成形コンパウンド１２０が硬化した後、パッケージ化されたデバイスをリードフレーム１２６の周縁構造１２８から取り外すようにリード線及びタイバーを切り取ることができる。
【００４０】
図１０を参照して説明する技術では、ヒートスラグ１０６の２種類の厚さを有する構成を有利に利用して、入力及び出力リード線１１０、１１２がヒートスラグ１０６と横方向に重なる一方、ヒートスラグ１０６から垂直方向に離間されるように、入力及び出力リード線１１０、１１２をヒートスラグ１０６と整列させる。従来の単一厚さのヒートスラグ１０６の設計と比較すると、ここで開示するヒートスラグ１０６は、リードフレーム１２６に配置された場合により低く位置する。従って、入力及び出力リード線１１０、１１２とヒートスラグ１０６との間に幾らかの垂直の離隔距離を伴って入力及び出力リード線１１０、１１２をヒートスラグ１０６の上方に配置するために、垂直にオフセットされた垂直及び水平の支柱１５８及び／又は垂直にオフセットされた支持構造１５６によってもたらすことができる僅かな垂直の離隔距離が必要である。封入処理中、成形コンパウンド１２０が入力及び出力リード線１１０、１１２とヒートスラグ１０６との間の空間を占有する。これにより、入力及び出力リード線１１０、１１２とヒートスラグ１０６との間に固有の静電容量を有利に生成することができる。更に、横方向の重なりにより、ボンドワイヤの接続を実現するのに必要な距離が有利に短くなる。
【００４１】
図１１を参照すると、一実施形態による屈曲したリード線構成が図示されている。図に示すように、入力及び出力リード線１１０、１１２は、第２の部分１６０に実質的に垂直な第１の部分１５８で曲げられる。封入に先立って、第１の部分１５８が、ヒートスラグ１０６の上面１１８と実質的に平行な方向にヒートスラグ１０６から離れて延在するように、入力及び出力リード線１１０、１１２は、図示した方法でヒートスラグ１０６と整列される。入力及び出力リード線１１０、１１２の第１の部分１５８は、前述した方法でリードフレーム１２６の周縁構造１２８に接続され得る。リード線の第２の部分１６０は、ヒートスラグ１０６の側壁１６２と実質的に平行な向きに延在する。ヒートスラグ１０６の側壁１６２は、ヒートスラグ１０６の上面１１８と背面１２４との間に延在する。
【００４２】
図１１Ｃに示すように、ダイをヒートスラグ１０６の上面１１８に取り付けることができ、導電性のボンドワイヤ１１４を用いてダイを入力及び出力リード線１１０、１１２に接続させることができる。その後、前述した方法で封入を行うことができる。その後、成形コンパウンド１２０が硬化した後、パッケージ化されたデバイスをリードフレーム１２６の周縁構造１２８から取り外すようにリード線及びタイバー（存在する場合）を切り取ることができる。
【００４３】
図１１に示す実施形態によれば、ヒートスラグ１０６の上面１１８は、入力及び出力リード線１１０、１１２の第２の部分１６０の上面と同一平面上にある。これは、平面状の（即ち、ダウンセットではなない）リードフレームを用いることによって可能になる。その結果、入力及び出力リード線１１０、１１２がヒートスラグ１０６の上面１１８の上方に配置される構成と比べて、ダイと入力リード線１１０との間の距離が短くなる。
【００４４】
「実質的に」という用語は、要件への絶対的な適合に加えて、理想からの偏りを引き起こし得る製造処理のばらつき、組立、及び他の要因による、要件への絶対的な適合からの軽微なずれを包含する。実際的な適合を達成するようにずれが処理許容誤差の範囲内であり、本明細書に記載する構成要素が用途の要件に従って機能することを条件として、「実質的に」という用語は、これらのずれのいずれも包含する。
【００４５】
「下」、「下方」、「下側」、「上」、「上側」などの空間的な比較上の用語は、ある要素の第２の要素に対する位置を説明する際に説明を容易にするために使用される。これらの用語は、図に図示した向きと異なる向きに加えて、デバイスの異なる向きを包含することを意図している。更に、「第１の」、「第２の」などの用語は、様々な要素、領域、部分等を説明するために使用され、限定することを意図したものではない。説明全体を通じて、同様の用語は同様の要素を指す。
【００４６】
前述の実施形態では、パッケージ化されたドハティ増幅器１００回路は一例として用いられた。パッケージ化技術及び対応するパッケージ構造は、この一般的な回路型に限定されるものではなく、また、本明細書に記載する特定の回路に限定されるものでもない。開示された修正形態は、例えば、より広いダイパッド領域、より優れた熱放散、より良好な絶縁、基板静電容量に対する優勢の増加など、本明細書に記載する有益な方法が役立つ任意のパッケージ設計に一般的に適用可能である。
【００４７】
本明細書に記載する様々なパッケージ化技術及び対応するパッケージ構造の任意のもの又は全ては、互いに非互換でない限り共通の技術又は構造で互いに組み合わせることができる。例えば、図４を参照して説明した、拡大されたヒートスラグ１０６は、図５〜７を参照して説明したリベットのないダイパッド設計のいずれか１つと組み合わせることができ、このリベットのないダイパッド設計のいずれかは、図１１を参照して説明した屈曲したリード線構成と組み合わせることができる。しかしながら、図１１を参照して説明した屈曲したリード線構成は、図１０を参照して説明した実施形態など、入力及び出力リード線１１０、１１２がヒートスラグ１０６と重なり合う実施形態と互換性がない。
【００４８】
本明細書で使用する場合、「有する」、「含有する」、「包含する」、「含む」などの用語は、オープンエンドの用語であり、記載された要素又は特徴の存在を示すが、追加の要素又は特徴を排除するものではない。冠詞「１つの（ａ）」、「１つの（ａｎ）」及び「その（ｔｈｅ）」は、文脈上特段の断りがない限り、単数に加えて複数も含むことが意図されている。
【００４９】
本明細書に記載する様々な実施形態の特徴は、特に断りのない限り互いに組み合わせられ得ることが理解されるべきである。
【００５０】
本明細書では、特定の実施形態について図示し説明したが、本発明の範囲から逸脱することなく、様々な代替の及び／又は均等な実装形態が、図示し説明した特定の実施形態を置き換え得ることが当業者に理解されるであろう。本出願は、本明細書で考察した特定の実施形態の任意の改変形態又は変形形態を包含することを意図している。従って、本発明は、特許請求の範囲及びその均等物によってのみ限定されることが意図されている。
【符号の説明】
【００５１】
１００  ドハティ増幅器
１０２  主増幅器
１０４  ピーキング増幅器
１０６  ヒートスラグ
１０８  チップコンデンサ
１１０  入力リード線
１１２  出力リード線
１１４  導電性ボンドワイヤ
１１５  追加のリード線
１１６  リベット
１１８  上面
１２０  電気的絶縁性成形コンパウンド
１２２  下側部分
１２４  背面
１２６  リードフレーム
１２８  周縁構造
１３０  支持支柱
１３２  本体部分
１３４  下側部分
１３６  突出部
１３８  第１の長い側部
１４０  第３の長い側部
１４２  支持構造
１４４  第２の短い側部
１４８  より薄い部分
１５０  より厚い部分
１５２  支持支柱
１５４  リベットパッド
１５６  支持構造
１５８  第１の部分
１６０  第２の部分
１６２  側壁
【図１】
2018125526.tif 000003
【図２】
2018125526.tif 000004
【図３】
2018125526.tif 000005
【図４】
2018125526.tif 000006
【図５】
2018125526.tif 000007
【図６】
2018125526.tif 000008
【図７】
2018125526.tif 000009
【図８】
2018125526.tif 000010
【図９】
2018125526.tif 000011
【図１０】
2018125526.tif 000012
【図１１】
2018125526.tif 000013
【外国語明細書】
2018125526000001.pdf
2018125526000002.pdf
2018125526000003.pdf
2018125526000004.pdf